(57)【要約】  本発明は、コンピュータネットワークの分野、特にモバイル技術に関する。より具体的には、本発明は、情報の転送方法に関する。情報転送方法は、連絡先の情報自体が非公開状態でユーザ間でこれらの識別子を交換するために、サーバに連絡先情報を登録して識別子を割り当てるものである。２番目のモデルによると、個人情報の転送方法は、ユーザの連絡先情報を一般情報に関連付けられ、連絡先情報を非公開にして、この連絡先情報にあたるユーザの確認後のみにユーザ間でこの非公開情報を転送することを含む。提案された発明は、連絡先および他の個人情報の転送に対する制御を提供する。【特許請求の範囲】
【請求項１】
コンピュータを使用して、複数のユーザの各々に識別子を割り当てて、前記複数のユーザの各々について、ユーザの連絡先情報とともに前記識別子をサーバに登録し、このとき、前記複数のユーザの各々の前記連絡先情報は非公開であり、
その後、前記サーバを少なくとも１つの情報交換サービスに接続し、前記識別子の転送において前記識別子が割り当てられているユーザを確認する必要がある方法で、前記複数のユーザのデバイスにおいて前記識別子を交換できるようにし、
次に、前記複数のユーザのうちのユーザから、前記複数のユーザのうちの他のユーザの前記識別子とデータ交換サービスに関する情報とを含むリクエストが行われた後、前記サーバによって、前記リクエストで指定されたサービスと前記サービスの前記複数のユーザの前記連絡先情報とを使用して、前記ユーザと前記他のユーザとの間で情報が転送される、
情報転送方法。
【請求項２】
転送される前記識別子は非公開であり、前記識別子が割り当てられた前記ユーザに関する一般情報が前記他のユーザのデバイスに表示され、前記他のユーザが連絡できる前記ユーザに関する一般情報およびサービスをクリックすることによって、前記リクエストを開始することができることを特徴とする、
請求項１に記載の情報転送方法。
【請求項３】
複数のユーザの複数のモバイルデバイスが前記複数のユーザの各々の連絡先情報と一般情報とを交換可能な情報転送方法であって、
前記複数のユーザの各々について、ユーザの前記連絡先情報は前記複数のモバイルデバイスに表示されず、前記ユーザの前記一般情報に関連付けられ、前記ユーザの前記一般情報は前記複数のモバイルデバイスに表示され、前記連絡先情報を使用するには前記連絡先情報に割り当てられた前記一般情報を使用し、前記連絡先情報の転送を行う前に、前記連絡先情報が属する前記ユーザのデバイスに前記転送の確認をリクエストする、
情報転送方法。
【請求項４】
サーバを使用して、複数のモバイルデバイスのいずれかで作成され他のユーザに関する情報を含むリクエストを受信した後、前記リクエストに属する前記他のユーザの電話帳にある同じ連絡先ユーザの個人情報が、前記リクエストを作成した前記ユーザのモバイルデバイスに転送される、
請求項１〜３のいずれか１項に記載の情報転送方法。
【請求項５】
サーバを使用して、前記ユーザのデバイス上で作成され検索対象ユーザに関する情報を含む検索リクエストを前記ユーザから受信し、前記複数のユーザの各々の前記連絡先情報のデータストアにアクセス可能なサーバを使用して、リクエストを入力したユーザと前記検索対象ユーザの連絡先を分析し、すべての連絡先を第１グループと第２グループとに分けて、一致する連絡先を検索し、前記第１グループは、前記リクエストを入力したユーザのすべての連絡先であり、前記第２グループは、前記検索対象ユーザの連絡先であり、
次に、前記第１グループと前記第２グループとで連絡先を比較し、前記第１グループと前記第２グループとで連絡先の一致が見つからない場合、各グループの分析済み連絡先の数を補充し、前記第１グループと前記第２グループとで連絡先を比較することで、前記第１グループと前記第２グループのすべての連絡先を分析し、前記第１グループと前記第２グループとで連絡先の一致が見つからない場合、前記第１グループと前記第２グループとで既に見つかった連絡先を使って、前記第１グループと前記第２グループの連絡先の数を補充し、前記第１グループと前記第２グループとで一致が見つかるまで比較を続け、前記比較のいずれかの段階で前記連絡先の一致が見つかった後、前記リクエストを入力したユーザに、前記リクエストを作成したユーザから前記検索対象ユーザへの連絡先の最短経路の原則に従って構築された連絡先のチェーンを案内する、
請求項１〜３のいずれか１項に記載の情報転送方法。
【発明の詳細な説明】
【技術分野】
【０００１】
本発明は、コンピュータネットワークの分野、特にモバイル技術に関する発明である。より具体的には、本発明は情報転送方法に関する。
【背景技術】
【０００２】
現在データの転送と交換では電話番号、メッセンジャーのＩＤ、ソーシャルネットワークなどの連絡先データを記録および保存するために複数のアクションを実行するのが慣習となっている。 
【０００３】
既知方法としては「ユーザが入力した電話番号に基づいて電話ユーザにデータを提供するシステムおよび方法」ＵＳ  ２００６／００９９９３１、Ｈ０４Ｌ  １２／５８、０６／１１／２００６がある。この方法では、ユーザから電話番号を受け取り、ユーザの電話番号と表示データに基づき、遠隔地から自動的にユーザのデータを受信する。この場合、携帯電話番号を使用したインターネットサイトへの切り替えに基づき実行される。
【０００４】
これらの方法は、個人情報の交換には便利であるが、欠点がある。電話番号は誰でもアクセスできる情報であり、ユーザ間のこの様な情報転送をコントロールする方法はない。
【０００５】
開発者が設定したタスクとは情報を送信する新たな方法であり、類似物と比較して、連絡先データやその他の個人情報の転送を管理する方法を開発することである。
【０００６】
提案された情報の転送方法の技術的結果は、連絡先およびその他の個人情報の転送を管理することである。
【発明の概要】
【０００７】
情報転送方法の本質は、サーバを使用して、モバイルデバイス上で作成された別ユーザに関する情報を含むリクエストをユーザから受信し、その後、リクエストを作成したユーザのモバイルデバイスとリクエストに属するユーザの電話帳にある同じ連絡先ユーザの個人情報が、リクエストを作成したユーザのモバイルデバイスに送信される。リクエストに含まれているユーザのモバイルデバイスの電話帳に保存されているすべてのユーザに関する情報を、リクエストしたユーザのモバイルデバイスに送信することができる。リクエスト情報に含まれているユーザが、モバイルデバイスの電話帳にあるユーザの個人情報を完全にまたは部分的に非表示にした場合、非表示の個人情報はモバイルデバイスに送信されない。送信される個人情報には、連絡先情報が含まれていない場合がある。
【０００８】
第２変形によれば、情報転送方法の本質は、サーバを使用して、モバイルデバイス上で作成されたリクエストによって、検索対象ユーザに関する情報を含むリクエストをユーザから受信し、その後、サーバを使用して、リクエストを入力したユーザと検索されたユーザの連絡先帳を分析し、すべての連絡先を２つのグループに分けて、一致する連絡先を検索する。第１グループでは、リクエストを入力したユーザのすべての連絡先、第２グループでは検索されたユーザの連絡先、次に、第１グループと第２グループの連絡先を比較し、第１グループと第２グループの連絡先の一致が見つからない場合は、第１グループと第２グループのすべての連絡先の連絡先を分析し、第１グループと第２グループの連絡先を比較することで、各グループの分析済み連絡先の数を補充し、一致するものを検索し、第１グループと第２グループの間に連絡先の一致が見つからない場合は、第１グループと第２グループの連絡先を既に見つかった連絡先を使って、第１グループと第２グループの連絡先の数を、第１グループと第２グループの間に一致が見つかるまで比較と補充をし続け、比較のいずれかの段階で一致が見つかった後、リクエストを入力したユーザには、リクエストを作成したユーザから目的のユーザへの連絡先の最短パスの原則に従って構築された連絡先のチェーンが案内される。
【０００９】
第３変形によると、情報を転送する方法の本質は、最初に、コンピュータを使用して、ユーザに識別子を割り当てることによって連絡先情報をサーバに登録し、ユーザの連絡先情報を非表示にし、その後、サーバは少なくとも１つの情報交換サービスに接続され、ユーザデバイスは前述の識別子を交換することができる。個々の識別子を送信するために、この識別子が割り当てられているユーザの確認が必要になり、さらに、別ユーザの識別子とデータ交換サービスに関する情報を含むユーザのリクエストの後、リクエストで指定されたサービスを使用し、サーバにある連絡先情報に基づいてサービスを使用するユーザの間で、サーバを使用した情報の転送を提供する。送信される識別子が隠されており、これらの識別子が割り当てられたユーザに関する一般情報が他ユーザのデバイスに表示され、ユーザが連絡できる他ユーザおよびサービスに関する一般情報をクリックすることによってリクエストを開始することができる。
【００１０】
第４変形によると、情報転送方法の本質は、ユーザのモバイルデバイスがユーザに関する連絡先や一般情報を交換することができることにある。さらに、ユーザの連絡先情報自体はモバイルデバイスには表示されず、ユーザに関する一般的な情報に関連付けられる。ユーザの一般情報はモバイルデバイスに表示され、連絡先情報を使用するには割り当てられた一般情報を使用し、連絡先情報を転送する前に、連絡先情報が属するユーザのデバイスにこの転送の確認のリクエストを行う。
【発明を実施するための形態】
【００１１】
本発明の情報転送方法は次の通りである。第１変形に従って提案された方法を実行するには、連絡先およびその他の個人情報の制御性を向上させるために、サーバには加入者の連絡帳を持つ携帯電話などのユーザのモバイルデバイスへのアクセス、および連絡帳に保存されている情報へのアクセスが許可される。ユーザが他の特定ユーザと重複している連絡先を知りたい場合には、他のユーザに関する情報を含むモバイルデバイスを使用してサーバにリクエストを送信し、サーバはリクエストを行ったユーザとリクエストに属するユーザ同士で重複している連絡先に関する情報を送信する。サーバは、リクエストに属するユーザのモバイルデバイスの電話帳に保存されているすべてのユーザに関する情報を、非表示にされていない限り、リクエストしたユーザのモバイルデバイスに送信することができる。連絡先に関する情報には、電話番号、電子メール、その他の識別子などの連絡先情報自体を含めることも、含まないこともでき、連絡先に関する一般的な情報のみが表示され、連絡することはできない。
【００１２】
連絡先やその他の個人情報の管理性を向上させる情報転送の別の方法によれば、サーバは、ユーザの携帯電話やコンピュータ等のユーザデバイスに保存されている連絡先情報へのアクセスが許可され、個々のソーシャルネットワークやその他の通信サービスのサーバを使用する。特定のユーザを探している場合で、そのユーザと通信できないユーザは、探しているユーザに関する、会社名や役職などの公開情報やサーバが利用できるその他の情報などを入力し、上記の情報を使用してサーバにリクエストを送信する。次に、サーバは、リクエストを作成したユーザと検索されたユーザのすべての連絡先を分析し、これらの情報は、ソーシャルネットワーク、インスタントメッセンジャーなどを使用して検索が実行される場合には、携帯電話の連絡先帳またはその他の連絡先データのストレージを使用して、リクエストを実行する。連絡先とは、携帯電話番号、ソーシャルネットワークのＩＤ、メッセンジャーなど、ユーザに連絡できるようにする情報のことである。連絡先を分析しながら、サーバは連絡先を２つのグループに分ける。１つのグループには、リクエストを作成したユーザ自身を含む、リクエストを作成したユーザのすべての連絡先が含まれ、もう１つのグループには、検索されたユーザ自身の連絡先と検索されたユーザのすべての連絡先が含まれる。共通の知人を探すために、両方のグループの連絡先が互いに比較される。たとえば、連絡先の電話帳を使用して連絡先を分析する場合、タスクは、リクエストを作成したユーザがどの他のユーザを通して目的のユーザに直接連絡できる相手を見つけることである。両方のグループの連絡先を比較したときに一致が見つかった場合、リクエストを作成したユーザに一致が見つかったことが通知される。たとえば、特定のユーザＡは、リクエストを作成したユーザの連絡先帳と検索したユーザの連絡先帳の両方で利用できる。したがって、リクエストを作成したユーザは、ユーザＡに連絡先を問い合わせることにより、目的のユーザに連絡できる。たとえば、ソーシャルネットワーク上の相互の友人を分析する場合も同様である。一致するものが見つからない場合は、すべての連絡先が分析され、これらの連絡先は両方のグループにすでに存在しているため、両方のグループの連絡先の数が増える。たとえば、リクエストを作成したユーザの連絡帳にユーザＡとユーザＢがいる場合であって、検索されたユーザの連絡先帳にユーザＣとユーザＤがいる場合、この場合は一致するユーザはなく、両方のグループに属するすべての連絡先が分析される。リクエストを作成したユーザの連絡先とユーザＡの連絡先とユーザＢの連絡先とを含む第１グループには、ユーザＡの連絡帳とユーザＢの連絡帳にある連絡先が補充され、検索されたユーザの連絡先とユーザＣの連絡先とユーザＤの連絡先とを含む第２グループには、ユーザＣの連絡帳とユーザＤの連絡帳にあるユーザの連絡先が補充される。つまり、サーバは２つの連絡先ピラミッドを作成し、これらのピラミッドから連絡先の一致が見つかるまで、次のレベルごとに拡張する。一致するものを見つけた後、リクエストを作成したユーザに連絡先のチェーンに関する情報が送信される。これにより、目的のユーザの連絡先情報を見つけることができる。たとえば、ユーザＡの助けを借りて、ユーザＥの連絡先を見つけることができ、そこからユーザＭの連絡先を見つけることができ、そこから目的のユーザの連絡先を見つけることができる。したがって、すべての連絡先情報を体系的に管理し、既存の連絡先と長い知人のチェーンを使用して、任意のユーザの連絡先を簡単に見つけることができる。
【００１３】
情報を転送する３番目の方法によると、連絡先やその他の個人情報の転送を確実に制御する方法になり、ユーザの電子計算機、コンピュータ、モバイルデバイスなどを使用して、ユーザをサーバ上の連絡先情報（携帯電話番号、インスタントメッセンジャーの識別子、ソーシャルネットワークなど）に登録する。連絡先やその他の個人情報がサーバに保存される識別子を割り当て、さらに、ユーザ自身を含め、ユーザの連絡先情報は非表示になっている。その後、サーバはソーシャルネットワークやモバイルオペレーターのネットワークなど、少なくとも１つの情報交換サービスに接続される。ユーザのデバイスには、連絡先やその他の個人情報にリンクしている識別子を交換する機会が与えられ、このとき、識別子の転送にはその識別子が割り振られてるユーザによっての確認が必要になる。たとえば、ユーザＡの識別子を送信する場合、ユーザＡがそのような転送を確認するまで、識別子はデバイスに送信されず、このためには、サーバは、他のユーザがユーザＡの識別子をユーザ間で転送したいときに、毎回ユーザＡにリクエストを作成する。ユーザに関する連絡先やその他の情報がサーバに保存されるＩＤを使用して、ユーザは自分のデバイスを使用して、このユーザと通信するためのサーバへのリクエストを作成できる。サーバは、別のユーザのＩＤとデータ交換サービスに関する情報（モバイルオペレーターのネットワークなど）を含むユーザのリクエストの後、リクエストを作成したユーザの携帯電話番号と、ユーザの通信リクエストにＩＤが含まれているユーザの携帯電話番号を使用する。
【００１４】
連絡先やその他の個人情報にリンクしてる識別子は非表示になり、これらの識別子が割り当てられているユーザに関する一般情報がデバイス上のユーザに表示され、ユーザは他ユーザの一般情報と連絡可能なサービスをクリックすることによりリクエストを開始することができる。したがって、連絡先情報の制御されていない転送を除外する。
【００１５】
前述の識別子の送信は、任意の通信規格およびプロトコルを使用して実行できる。
【００１６】
説明されている３番目の方法は、集中型システムを意味する。
【００１７】
情報を転送する４番目の方法によると、連絡先やその他の個人情報の転送を制御し、ユーザのモバイルデバイスがユーザの連絡先や一般情報を交換する機能を提供する。ユーザの連絡先情報はモバイルデバイスには表示されず、ユーザの一般情報に関連付けられ、連絡先情報を使用するには割り当てられた一般情報を使用し、ユーザの一般情報はモバイルデバイスに表示される。この手段は、添付された連絡先情報を使用し、連絡先情報を転送する前に、連絡先情報が属するユーザのデバイスにこの転送の確認のリクエストを行う。たとえば、ユーザＡがユーザＢの連絡先をユーザＣに転送したい場合、連絡先を転送する前に、ユーザＡのデバイスはユーザＢの連絡先の転送の許可をユーザＢへリクエストをし、ユーザＢがこの転送を確認すると、ユーザＣはユーザＢの連絡先を受信する。４番目の方法ではサーバを使用しない、分散型システムになる。
【国際調査報告】
2021526258.tif 000002
2021526258.tif 000003